(57)【要約】【課題】宅外から自宅などの建造物のドア施錠状態を監視するシステムを、専門業者が施工することなく安価に設置できる電灯線通信を用いた施錠監視装置およびその方法を提供することにある。【解決手段】ドア２２に取り付けた施錠センサ１で施錠状態を検出し、この検出した施錠状態を微弱無線通信や赤外線無線通信などの安価な無線通信を用い、ドア近傍の天井、壁スイッチ、コンセントなどに取り付けた電灯線通信手段２まで送信し、そこから電灯線３を通信媒体としてホームゲートウェイ４に送信し、ホームゲートウェイからの前記施錠状態を、一般通信回線を用いてセンタサーバ６へ送信し、前記センタサーバからの前記施錠状態を、一般通信回線を用いて携帯通信手段７に送信する構成で、宅外から自宅などのドア施錠状態を監視する。【選択図】  図１
2004300876.tif 000002
【特許請求の範囲】
【請求項１】
施錠状態を検出する施錠センサと、電灯線を通信媒体として前記施錠センサの検出した施錠状態を通信する電灯線通信手段と、前記電灯線通信手段の送信する前記施錠状態を受信するホームゲートウェイと、前記ホームゲートウェイから一般通信回線を用いて前記施錠状態を収集するセンタサーバと、前記センタサーバから前記一般通信回線を用いて送信される前記施錠状態を受信する携帯通信手段を備えたことを特徴とする電灯線通信を用いた施錠監視装置。
【請求項２】
施錠センサの検出した施錠状態を送信する微弱無線送信手段と、前記微弱無線送信手段の送信した前記施錠状態を受信する微弱無線受信手段を有する電灯線通信手段を備えたことを特徴とする請求項１記載の電灯線通信を用いた施錠監視装置。
【請求項３】
施錠センサの検出した施錠状態を送信する赤外線無線送信手段と、前記赤外線無線送信手段の送信した前記施錠状態を受信する赤外線無線受信手段を有する電灯線通信手段を備えたことを特徴とする請求項１に記載の電灯線通信を用いた施錠監視装置。
【請求項４】
送信信号が一定時間なければ微弱電波または赤外線の無線送信手段に異常が発生したと判断し、前記異常発生をホームゲートウェイに送信する異常発生検知手段を有する電灯線通信手段を備えたことを特徴とする請求項２または３に記載の電灯線通信を用いた施錠監視装置。
【請求項５】
微弱電波または赤外線の無線送信手段から送信が復旧した場合に、無線送信手段の異常が復旧したと判断し、前記復旧をホームゲートウェイに送信する復旧検知手段を有する電灯線通信手段を備えたことを特徴とする請求項２〜４のいずれかに記載の電灯線通信を用いた施錠監視装置。
【請求項６】
施錠状態を施錠センサで検出するステップと、前記ステップで検出した施錠状態を電灯線通信手段によりホームゲートウェイに送信するステップと、前記ホームゲートウェイからの前記施錠状態を、一般通信回線を用いてセンタサーバへ送信するステップと、前記センタサーバからの前記施錠状態を、前記一般通信回線を用いて携帯通信手段に送信するステップとを有する電灯線通信を用いた施錠監視方法。
【請求項７】
施錠センサの検出した施錠状態を、微弱無線送信手段により電灯線通信手段に送信する請求項６記載の電灯線通信を用いた施錠監視方法。
【請求項８】
施錠センサの検出した施錠状態を、赤外線無線送信手段で電灯線通信手段に送信する請求項６記載の電灯線通信を用いた施錠監視方法。
【請求項９】
送信信号が一定時間なければ微弱電波または赤外線の無線送信手段に異常が発生したと異常発生検知手段により判断するステップと、前記異常発生をホームゲートウェイに電灯線通信手段により送信するステップとを有することを特徴とする請求項７または８に記載の電灯線通信を用いた施錠監視方法。
【請求項１０】
微弱電波または赤外線の無線送信手段からの送信が復旧した場合に、無線送信手段の異常が復旧したと復旧検知手段により判断するステップと、前記復旧をホームゲートウェイに電灯線通信手段により送信するステップとを有することを特徴とする請求項７〜９のいずれかに記載の電灯線通信を用いた施錠監視方法。
【発明の詳細な説明】
【０００１】
【発明の属する技術分野】
本発明は、宅外等から建物、その他の物の施錠状態を監視する施錠監視装置およびその方法に関する。
【０００２】
【従来の技術】
一般の住宅、またはその他の建造物の施錠状態を確認する装置およびその方法は、市販の電気錠や施錠センサの施解錠情報を用いた方法がよく知られている。図６（Ａ）はこの従来技術を示しているものであり、図において建造物２１のドア２２に設けた施錠装置２３の施錠センサ１はドア２２の施錠状態を検出し、施錠センサ１に接続した専用線１７を用いて情報送信装置１８に送信し、情報送信装置１８は施錠状態を建造物２１の所有者または管理者の所有する宅外の携帯電話等の携帯情報端末７へと施錠状態の情報を送信して監視を行うものである。
【０００３】
この従来の技術では、施錠センサ１と情報送信装置１８の間を専用線１７で接続する必要があり、既築の建造物２１に設置する際には専用線１７を隠す工事等の専門業者による施工が必要となる問題があった。
【０００４】
また、図６（Ｂ）に示すように（特許文献１参照）、施錠装置の施錠状態を検出する施錠センサ１は施錠状態出力装置１９に接続され、そして施錠状態表示装置２０との間を無線通信により接続する技術が開示されている。しかしながら、この方法では、施錠センサ１とドアの施錠確認端末である施錠状態表示装置２０の距離が送受信能力に依存するため、施工の自由度を考慮すると無線通信の装置のコスト高につながるという問題があった。
【０００５】
【特許文献１】
特開平１０−１２１８０３号公報
【０００６】
【発明が解決しようとする課題】
上記従来の技術の問題点に鑑み、本発明が解決しようとする課題は、専門業者等に頼ることなく、宅外等から施錠装置を設けた物の施錠状態を監視するシステムを設置できる施錠監視装置およびその方法を提供することにある。
【０００７】
また、もう一つの本発明が解決しようとする課題は、無線通信を使いながらも安価な施錠監視システムを構築することにある。
【０００８】
【課題を解決するための手段】
上記目的を達成するために本発明の請求項１に記載の電灯線通信を用いた施錠監視装置は、施錠状態を検出する施錠センサと、電灯線を通信媒体として前記施錠センサの検出した施錠状態を通信する電灯線通信手段と、前記電灯線通信手段の送信する情報を受信するホームゲートウェイと、前記ホームゲートウェイから一般通信回線を用いて情報を収集するセンタサーバと、前記センタサーバから前記一般回線を用いて送信される前記施錠状態を受信する携帯通信手段を備えたものである。
【０００９】
上記手段によれば、建造物に配線してある既設の電灯線に電灯線通信手段とホームゲートウェイを接続することで、宅外から自宅等の建造物、その他の物のドア施錠状態を監視でき、専門業者等に頼ることなく設置できるものである。
【００１０】
また、請求項２に記載の電灯線通信を用いた施錠監視装置は、微弱電波による無線通信で施錠センサからの情報を送信する微弱無線送信手段と、前記微弱無線送信手段の送信した情報を受信する微弱無線受信手段を有する電灯線通信手段を備えたものである。
【００１１】
また、請求項３に記載の電灯線通信を用いた施錠監視装置は、施錠センサの検出した施錠状態を送信する赤外線無線送信手段と、前記赤外線無線送信手段の送信した前記施錠状態を受信する赤外線無線受信手段を有する電灯線通信手段を備えたものである。
【００１２】
また請求項４に記載の電灯線通信を用いた施錠監視装置は、送信信号が一定時間なければ微弱電波または赤外線の無線送信手段に異常が発生したと判断し、前記異常発生をホームゲートウェイに送信する異常発生検知手段を有する電灯線通信手段を備えたものである。
【００１３】
また請求項５に記載の電灯線通信を用いた施錠監視装置は、微弱電波または赤外線の無線送信手段から送信が復旧した場合に、無線送信手段の異常が復旧したと判断し、前記復旧をホームゲートウェイに送信する復旧検知手段を有する電灯線通信手段を備えたものである。
【００１４】
また請求項６に記載の電灯線通信を用いた施錠監視方法は、施錠状態を施錠センサで検出するステップと、前記ステップで検出した施錠状態を電灯線通信手段によりホームゲートウェイに送信するステップと、前記ホームゲートウェイからの前記施錠状態を、一般通信回線を用いてセンタサーバへ送信するステップと、前記センタサーバからの前記施錠状態を、前記一般通信回線を用いて携帯通信手段に送信するステップとを有する方法である。
【００１５】
また請求項７に記載の電灯線通信を用いた施錠監視方法は、施錠センサの検出した施錠状態を、微弱無線送信手段により電灯線通信手段に送信する方法である。
【００１６】
また請求項８に記載の電灯線通信を用いた施錠監視方法は、施錠センサの検出した施錠状態を、赤外線無線送信手段で電灯線通信手段に送信する方法である。
【００１７】
また請求項９に記載の電灯線通信を用いた施錠監視方法は、送信信号が一定時間なければ微弱電波または赤外線の無線送信手段に異常が発生したと異常発生検知手段により判断するステップと、前記異常発生をホームゲートウェイに電灯線通信手段により送信するステップとを有する方法である。
【００１８】
また請求項１０に記載の電灯線通信を用いた施錠監視方法は、微弱電波または赤外線の無線送信手段からの送信が復旧した場合に、無線送信手段の異常が復旧したと復旧検知手段により判断するステップと、前記復旧をホームゲートウェイに電灯線通信手段により送信するステップとを有する方法である。
【００１９】
【発明の実施の形態】
本発明の目的は各請求項に記載した構成を実施の形態の要部とすることにより達成できるので、以下には請求項１ないし１０に対応する一実施例についての詳細を、図１〜図５を参照して説明し、併せて効果を述べて本発明の実施の形態についての説明とする。
【００２０】
（実施の形態１）
図１は、本発明の請求項１と請求項６のそれぞれに記載の各発明に対応する一実施例における施錠監視装置とその施錠監視方法を示す構成図である。図１において、１は建造物２１の引き戸または一端を中心に回転して開閉する扉等を含むドア２２に設けた施錠装置２３に対向して建造物２１に設けた施錠センサで、施錠装置２３の施錠、解錠（施錠を解く）等である施錠状態の情報を検出するとともに、外部へ送信する。２は施錠センサ１と有線で接続し、施錠センサ１の検出した施錠状態の情報を受信する電灯線通信手段で、ドア近傍における建造物２１に設けた電源導出用の電源コンセント、照明器具、または照明スイッチ（いずれも図示せず）を介して既設の電灯線３に接続され、、電灯線３を通信媒体として施錠状態の情報を送信する。４は建造物２１に設けた電源コンセント、照明器具、または照明スイッチ（いずれも図示せず）等を介して既設の電灯線３に接続し、電灯線通信手段２の送信する施錠状態の情報を受信する手段（図示せず）を備えたホームゲートウェイで、電話回線や光ファイバ回線の様な一般通信回線５に接続している。６はホームゲートウェイ４から一般通信回線５を用いて施錠状態の情報を収集する中央のコンピュータであるセンタサーバ、７はセンタサーバ６から一般通信回線５を用いて送信される施錠状態の情報を受信する携帯電話などの携帯通信手段で、建造物２１の所有者または管理者が携帯している。
【００２１】
上記実施の形態において、施錠監視方法のステップを含めて施錠監視装置の動作を説明する。建造物の管理者は外出時または就寝時前に施錠装置２３によりドア２２を施錠する。そして、施錠センサ１は施錠装置２３の施錠状態を検出し、この検出したドアの施錠状態の情報を電灯線通信手段２へと送信する。電灯線通信手段２は接続されている電灯線３を通信媒体として施錠状態の情報をホームゲートウェイ４に送信する。ホームゲートウェイ４は受信した施錠状態の情報を、一般通信回線５を通じてセンタサーバ６に送信する。センタサーバ６は受信した施錠状態の情報が変化した場合に携帯通信手段７へその情報を送信する。
【００２２】
このように本実施の形態では、施錠監視装置の使用者が、センタサーバ６から携帯通信手段７へ送信された施錠状態の情報を確認することで、監視対象である建造物２１の施錠状態を宅外等から容易に監視することができる。
【００２３】
また、電灯線通信手段２、ホームゲートウェイ４は電源コンセント等に接続するだけで、宅外から自宅等の建造物のドア施錠状態を監視するシステムを、専門業者等に頼ることなく簡単に設置できるものである。
【００２４】
なお、本実施の形態では建造物における一つのドアの施錠状態を監視するシステムを例に説明したが、建造物にいくつものドアがあれば、それら全部の施錠管理を行う場合にも本実施の形態を適用できることは当然で、また建造物に限らず、施錠装置付の開閉用のドア（引き戸を含む）を有する物にも適用できるものである。
【００２５】
（実施の形態２）
図２は、本発明の請求項２と請求項７のそれぞれに記載の各発明に対応する一実施例における施錠監視装置とその施錠監視方法を示す構成図である。本実施の形態は、施錠センサの検出した施錠状態の情報を微弱無線により送信する点で、実施の形態１の発明と異なり、それ以外の同一構成並びに作用効果を奏する部分には同じ符号を付して詳細な説明を省略し、異なるところを中心に説明する。
【００２６】
図２において、８は施錠センサ１を一体に設けた微弱無線送信手段で、施錠センサ１が検出したドア２２の施錠状態の情報を微弱電波で外部に送信する。９は電灯線通信手段で、図１で示した電灯線通信手段２と同様の機能を有する以外に、微弱無線送信手段８からの微弱電波の無線通信による施錠状態の情報を受信する微弱無線受信手段（図示せず）を有するものである。
【００２７】
従って、微弱無線受信手段を備えた電灯線通信手段９は、建造物２１の内側であるドア２２の近傍の天井２４に設置してある照明器具２５の内部に設置しているが、この設置場所は微弱電波の伝搬する到達距離内で、かつ電灯線３に接続できる個所である以外に限定されるものではない。
【００２８】
上記実施の形態において、施錠監視方法のステップを含めて施錠監視装置の動作を説明する。建造物の管理者は外出時または就寝時前に施錠装置２３によりドア２２を施錠する。そして、施錠センサ１は施錠装置２３のドア２２の施錠状態を検出し、この検出したドアの施錠状態の情報を微弱無線送信手段８により電灯線通信手段９へと送信する。電灯線通信手段９は微弱無線受信手段により受信したドア２２の施錠状態の情報を、電灯線３を通信媒体としてホームゲートウェイ４に送信する。これより以降は、実施の形態１で説明したと同様にしてドアの施錠状態の情報が携帯通信手段７へ送信される。
【００２９】
このように本実施の形態における施錠監視装置と施錠監視方法は、施錠センサ１からの施錠状態の情報を、微弱無線送信手段８と、微弱無線受信手段を有する電灯線通信手段９とにより、施錠物である例えば、ドアの近傍の距離だけ微弱無線通信する構成および方法なので、無線を使用しながらもドア施錠状態を監視するシステムが容易で安価に構築できる。
【００３０】
（実施の形態３）
図３は、本発明の請求項３と請求項８のそれぞれに記載の各発明に対応する一実施例における施錠監視装置とその施錠監視方法を示す構成図である。本実施の形態は、施錠センサの検出した施錠状態の情報を赤外線無線により送信する点で、実施の形態１の発明と異なり、それ以外の同一構成並びに作用効果を奏する部分には同じ符号を付して詳細な説明を省略し、異なるところを中心に説明する。
【００３１】
図３において、１０は施錠センサ１を一体に設けた赤外線無線送信手段で、施錠センサ１が検出したドア２２の施錠状態の情報を赤外線で外部に送信する。１１は電灯線通信手段で、図１で示した電灯線通信手段２と同様の機能を有する以外に、赤外線無線送信手段１０からの赤外線の無線通信によるドア２２の施錠状態の情報を受信する赤外線無線受信手段（図示せず）を有するものである。
【００３２】
従って、赤外線無線受信手段を備えた電灯線通信手段１１は、建造物２１の内側であるドア２２の近傍の天井２４に設置してある照明器具２５の内部に設置しているが、この設置場所は赤外線が到達する距離内で、かつ電灯線３に接続できる個所である以外に限定されるものではない。
【００３３】
上記実施の形態において、施錠監視方法のステップを含めて施錠監視装置の動作を説明する。建造物の管理者は外出時または就寝時前に施錠装置２３によりドア２２を施錠する。そして、施錠センサ１は施錠装置２３の施錠状態を検出し、この検出したドアの施錠状態の情報を赤外線無線送信手段１０により電灯線通信手段１１に赤外線で送信する。電灯線通信手段１１は赤外線無線受信手段により受信したドア２２の施錠状態の情報を、電灯線３を通信媒体としてホームゲートウェイ４に送信する。これより以降は、実施の形態１で説明したと同様にしてドアの施錠状態の情報が携帯通信手段７へ送信される。
【００３４】
このように本実施の形態における施錠監視装置と施錠監視方法は、施錠センサ１からの施錠状態の情報を、赤外線無線送信手段１０と、赤外線無線受信手段を有する電灯線通信手段１１とにより、施錠物である例えば、ドアの近傍の距離だけ赤外線で通信する構成および方法なので、赤外線を使用しながらも施錠状態を監視するシステムが容易で安価に構築できる。
【００３５】
（実施の形態４）
図４は、本発明の請求項４と請求項９のそれぞれに記載の各発明に対応する一実施例における施錠監視装置とその施錠監視方法にあって、無線通信の異常検出を示す図である。本実施の形態は、施錠センサの検出した施錠状態の情報を、微弱電波または赤外線により送信する無線通信の異常検出をするようにした点で、実施の形態１〜３の発明と異なり、それ以外の同一構成並びに作用効果を奏する部分には同じ符号を付して詳細な説明を省略し、異なるところを中心に説明する。
【００３６】
図４において、微弱無線送信手段８または赤外線無線送信手段１０は、施錠センサ１の検出しているドア等の施錠状態の情報を、一定時間毎に繰り返し送信する機能を有している。また、微弱無線受信手段を有する電灯線通信手段９または赤外線無線受信手段を有する電灯線通信手段１１は、マイクロコンピュータおよびその周辺回路から構成され、微弱電波または赤外線を受信する無線受信手段１２と、無線受信手段１２の受信した信号の異常を判定する送信周期判定手段１３と、送信周期判定手段１３の判定した信号を電灯線３に送信する電灯線通信送信手段１４とでそれぞれ構成している。
【００３７】
送信周期判定手段１３は異常発生検知手段を構成し、無線受信手段１２が受信した微弱無線送信手段８または赤外線無線送信手段１０からの送信信号の送信時間間隔を測定し、送信時間間隔が規定の範囲時間内であれば正常と判断し、施錠状態の情報である信号を電灯線通信送信手段１４に出力し、また送信時間間隔が規定の範囲時間外または送信が途切れたときには、微弱無線送信手段８または赤外線無線送信手段１０に電源供給不備、無線通信状態の悪化等の異常が発生したと判断し、その異常発生信号を電灯線通信送信手段１４に出力するものである。
【００３８】
上記実施の形態において、施錠監視方法のステップを含めて施錠監視装置の動作を説明する。建造物の管理者は外出時または就寝時前に施錠装置によりドアを施錠する。そして、施錠センサ１は施錠装置の施錠状態を検出し、この検出したドアの施錠状態の情報を微弱無線送信手段８または赤外線無線送信手段１０より電灯線通信手段９または１１に送信する。
【００３９】
そして、電灯線通信手段９または電灯線通信手段１１は無線受信手段１２により受信したドアの施錠状態の情報を、次のようにして異常がないかどうかを判断し、電灯線３を通信媒体としてホームゲートウェイ４に送信する。
【００４０】
すなわち、無線受信手段１２は受信したドアの施錠状態の情報である信号を送信周期判定手段１３へと出力する。送信周期判定手段１３は送信信号の送信時間間隔を測定し、送信時間間隔が規定の範囲時間内であれば、送信信号である施錠状態の情報を電灯線通信送信手段１４に出力する。また送信周期判定手段１３は、測定した送信時間間隔が規定の範囲時間外または送信が途切れたときには、微弱無線送信手段８または赤外線無線送信手段１０に電源供給不備、無線通信状態の悪化などの異常が発生したと判断し、異常発生信号を電灯線通信送信手段１４に出力する。電灯線通信送信手段１４は電灯線を介してホームゲートウェイに送信周期判定手段１３が判定した施錠状態信号または異常発生信号を送信する。これより以降は、実施の形態１で説明したと同様にしてドアの施錠状態の情報または異常発生信号が携帯通信手段７へ送信される。
【００４１】
このように本実施の形態では、実施の形態１〜３の発明で説明した作用効果が得られるのはもちろん、さらに無線通信状態の異常を検出する機能を有する電灯線通信手段９または電灯線通信手段１１により、無線を使用しながらも確実で、かつ安価な施錠監視システムを構築できる。
【００４２】
（実施の形態５）
図５は、本発明の請求項５と請求項１０のそれぞれに記載の各発明に対応する一実施例における施錠監視装置とその施錠監視方法にあって、無線通信の異常からの復旧検出を示す図である。本実施の形態は、施錠センサの検出した施錠状態の情報を、微弱電波または赤外線により送信する無線通信の異常からの復旧を検出できるようにした点で、実施の形態１〜４の発明と異なり、それ以外の同一構成並びに作用効果を奏する部分には同じ符号を付して詳細な説明を省略し、異なるところを中心に説明する。
【００４３】
図５において、微弱無線送信手段８または赤外線無線送信手段１０は、施錠センサ１の検出しているドア等の施錠状態の情報を、一定時間毎に繰り返し送信する機能をそれぞれ有している。また、電灯線通信手段９または電灯線通信手段１１はマイクロコンピュータおよびその周辺回路から構成され、微弱電波または赤外線を受信する無線受信手段１２と、無線受信手段１２の受信した信号を、現在の記憶している信号との比較において判定する送信周期判定手段１５と、この送信周期判定手段１５を通じて取り込んだ常に更新される微弱無線送信手段８または赤外線無線送信手段１０における現在の通信状態を記憶する記憶手段１６と、送信周期判定手段１５の判定した信号を電灯線３に送信する電灯線通信送信手段１４とで構成している。
【００４４】
すなわち、送信周期判定手段１５は記憶手段１６とで微弱無線送信手段８または赤外線無線送信手段１０の通信状態とその異常からの復旧を検知する復旧検知手段を構成している。すなわち、送信周期判定手段１５は無線受信手段１２が受信した微弱無線送信手段８または赤外線無線送信手段１０からの送信信号の送信時間間隔を測定した結果、送信時間間隔が規定の範囲時間内であれば、記憶手段１６に現在の通信状態が微弱無線送信手段８または赤外線無線送信手段１０に異常が発生していない状態であると記憶し、送信信号である施錠状態の情報の信号を電灯線通信送信手段１４に出力する。
【００４５】
続いて送信周期判定手段１５は、無線受信手段１２が受信した微弱無線送信手段８または赤外線無線送信手段１０からの送信信号の送信時間間隔を測定した結果、送信時間間隔が規定の範囲時間外または送信が途切れたときには、微弱無線送信手段８もしくは赤外線無線送信手段１０に電源供給不備、無線通信状態の悪化などの異常が発生したと判断し、異常発生信号を電灯線通信送信手段１４に出力するとともに、記憶手段１６は異常が発生している状態であることを記憶更新する。
【００４６】
続いて送信周期判定手段１５は、無線受信手段１２が受信した微弱無線送信手段８または赤外線無線送信手段１０からの送信信号の送信時間間隔を測定した結果、送信時間間隔が上記した規定の範囲時間外から規定の範囲時間内に戻り、かつ記憶手段１６に記憶されている現在状態が微弱無線送信手段８もしくは赤外線無線送信手段１０に異常が発生している状態の時、異常状態が復旧したことを知らせる信号と施錠状態信号を電灯線通信送信手段１４に出力するとともに、記憶手段１６に現在状態が微弱無線送信手段８または赤外線無線送信手段１０に異常が発生していない状態であると記憶更新する。
【００４７】
上記実施の形態において、施錠監視方法のステップを含めて施錠監視装置の動作を説明する。建造物の管理者は外出時または就寝時前に施錠装置によりドアを施錠する。そして、施錠センサ１は施錠装置の施錠状態を検出し、この検出したドアの施錠状態の情報を微弱無線送信手段８または赤外線無線送信手段１０より電灯線通信手段９または１１に送信する。
【００４８】
そして、電灯線通信手段９または１１は無線受信手段１２により受信したドアの施錠状態の情報を、次のようにして異常がないかどうか、および異常が復旧したかを判断し、電灯線３を通信媒体としてホームゲートウェイ４に送信する。
【００４９】
すなわち、無線受信手段１２は受信したドアの施錠状態の情報である信号を送信周期判定手段１５へと出力する。送信周期判定手段１５は、無線受信手段１２が受信した微弱無線送信手段８または赤外線無線送信手段１０からの送信信号の送信時間間隔を測定した結果、送信時間間隔が規定の範囲時間内で、記憶手段１６に記憶されている現在状態が微弱無線送信手段８または赤外線無線送信手段１０に異常が発生していない状態であるとき、異常の無いことを判断し、送信信号である施錠状態の情報の信号を電灯線通信送信手段１４に出力する。
【００５０】
また何らかの要因で微弱無線送信手段８または赤外線無線送信手段１０からの送信に異常が発生したとすると、送信周期判定手段１５は無線受信手段１２が受信した微弱無線送信手段８または赤外線無線送信手段１０からの送信信号の送信時間間隔を測定した結果、送信時間間隔が規定の範囲時間外または送信が途切れたとき、記憶手段１６に現在状態が微弱無線送信手段８または赤外線無線送信手段１０に異常が発生している状態を記憶し、微弱無線送信手段８もしくは赤外線無線送信手段１０に電源供給不備、無線通信状態の悪化などの異常が発生したと判断し、異常発生信号を電灯線通信送信手段１４に出力する。
【００５１】
さらに微弱無線送信手段８または赤外線無線送信手段１０からの送信に発生していた異常が復旧したとすると、送信周期判定手段１５は無線受信手段１２が受信した微弱無線送信手段８または赤外線無線送信手段１０からの送信信号の送信時間間隔を測定した結果、送信時間間隔が規定の範囲時間内で、かつ記憶手段１６に記憶されている現在状態が微弱無線送信手段８もしくは赤外線無線送信手段１０に異常が発生している状態であるときには、無線通信の異常状態が復旧したと判定し、この復旧を知らせる信号と施錠状態信号を電灯線通信送信手段１４に出力するとともに、記憶手段１６に記憶されている現在状態が微弱無線送信手段８もしくは赤外線無線送信手段１０に異常が発生している状態を更新し、現在状態が微弱無線送信手段８または赤外線無線送信手段１０に異常が発生していない状態を記憶する。
【００５２】
電灯線通信送信手段１４は電灯線を介してホームゲートウェイに送信周期判定手段１５が出力した施錠状態信号、または異常発生信号、または異常状態復旧信号を送信する。これより以降は、実施の形態１で説明したと同様にしてドアの施錠状態の情報、または異常発生信号、または異常状態復旧信号が携帯通信手段７へ送信される。
【００５３】
このように本実施の形態では、実施の形態１〜３の発明で説明した作用効果が得られるのはもちろん、さらに無線通信状態の異常および復旧を検出する機能を有する電灯線通信手段９または電灯線通信手段１１により、無線を使用しながらも確実で、かつ安価な施錠監視システムを構築できる。
【００５４】
【発明の効果】
以上のように本発明は、電灯線を通信媒体として利用できる施錠監視装置および施錠監視方法なので、専門業者に頼ることなく容易に設置でき、かつ監視できる。
【図面の簡単な説明】
【図１】本発明の実施の形態１における電灯線通信を用いた施錠監視装置および方法を示す構成図
【図２】本発明の実施の形態２における電灯線通信を用いた施錠監視装置およびその方法を示す構成図
【図３】本発明の実施の形態３における電灯線通信を用いた施錠監視装置およびその方法を示す構成図
【図４】本発明の実施の形態４における電灯線通信を用いた施錠監視装置およびその方法において、無線送信手段の異常検出を示す図
【図５】本発明の実施の形態５における電灯線通信を用いた施錠監視装置およびその方法において、無線送信手段の異常からの復旧検出を示す図
【図６】（Ａ）従来の技術における施錠監視装置を示す構成図
（Ｂ）従来の技術における施錠監視装置の他の例を示す構成図
【符号の説明】
１  施錠センサ
２  電灯線通信手段
３  電灯線
４  ホームゲートウェイ
５  一般通信回線
６  センタサーバ
７  携帯通信手段
８  微弱無線送信手段（無線送信手段）
９  微弱無線受信手段を備えた電灯線通信手段
１０  赤外線無線送信手段（無線送信手段）
１１  赤外線無線受信手段を備えた電灯線通信手段
１２  無線通信受信手段
１３  送信周期判定手段（異常発生検知手段）
１５  送信周期判定手段（復旧検知手段）
１６  記憶手段（復旧検知手段）
【図１】
2004300876.tif 000003
【図２】
2004300876.tif 000004
【図３】
2004300876.tif 000005
【図４】
2004300876.tif 000006
【図５】
2004300876.tif 000007
【図６】
2004300876.tif 000008